Podtech/llm-jp-corpus-v4-ja_patent huggingface dataset:
【手続補正書】
【提出日】平成25年8月28日(2013.8.28)
【手続補正１】
【補正対象書類名】明細書
【補正対象項目名】００１１
【補正方法】変更
【補正の内容】
【００１１】
上記目的を達成するために、本発明の撮像装置は、複数のレンズを有し、当該複数のレンズの少なくとも１つを移動させることで焦点距離の変更が可能なレンズ群と、前記複数のレンズの間に配置される絞りと、前記レンズ群及び前記絞りを介して入射した光に応じた画像信号を出力する撮像手段と、前記レンズ群に入射した光束が前記撮像手段へ導かれる光路に対して挿入及び退避可能なフィルタと、前記レンズ群の焦点距離に関する情報を用いて、前記フィルタの位置を制御する制御手段と、を有する。
【手続補正２】
【補正対象書類名】特許請求の範囲
【補正対象項目名】全文
【補正方法】変更
【補正の内容】
【特許請求の範囲】
【請求項１】
複数のレンズを有し、当該複数のレンズの少なくとも１つを移動させることで焦点距離の変更が可能なレンズ群と、
前記複数のレンズの間に配置される絞りと、
前記レンズ群及び前記絞りを介して入射した光に応じた画像信号を出力する撮像手段と、
前記レンズ群に入射した光束が前記撮像手段へ導かれる光路に対して挿入及び退避可能なフィルタと、
前記レンズ群の焦点距離に関する情報を用いて、前記フィルタの位置を制御する制御手段と、
を有することを特徴とする撮像装置。
【請求項２】
前記制御手段は、前記レンズ群の焦点距離の変更が行われる前と変更が行われた後とで異なる位置になるように前記フィルタの位置を変更することを特徴とする請求項１に記載の撮像装置。
【請求項３】
前記制御手段は、前記レンズ群の焦点距離の変更が行われる前と変更が行われた後との前記撮像手段に入射する光量の変化を抑制するように、前記フィルタの位置を変更することを特徴とする請求項１または２に記載の撮像装置。
【請求項４】
前記制御手段は、前記レンズ群の焦点距離の変更が行われる前の前記フィルタの位置に応じて、前記レンズ群の焦点距離の変更に伴って前記フィルタの位置を移動させる方向を変更することを特徴とする請求項１ないし３のいずれか１項に記載の撮像装置。
【請求項５】
前記制御手段は、前記レンズ群の焦点距離の変更が行われる前と変更が行われた後とで異なる位置になるように前記フィルタの位置を変更し、前記レンズ群の焦点距離が長くなるように変更する場合と短くなるように変更する場合とで、前記フィルタの位置を移動させる方向を変更することを特徴とする請求項１ないし４のいずれか１項に記載の撮像装置。
【請求項６】
前記制御手段は、前記レンズ群の焦点距離に関する情報を用いて前記絞りの開口径を制御することを特徴とする請求項１ないし５のいずれか１項に記載の撮像装置。
【請求項７】
前記制御手段は、前記レンズ群の焦点距離の変更が行われる前と変更が行われた後とで異なる開口径となるように前記絞りの開口径を変更し、前記絞りの開口径の変更によって生じる前記撮像手段に入射する光量の変化を抑えるように、前記フィルタの位置を制御することを特徴とする請求項１ないし６のいずれか１項に記載の撮像装置。
【請求項８】
前記レンズ群の焦点距離を変更する際に、前記絞りよりも前記撮像手段側にあるレンズが移動することを特徴とする請求項１ないし７のいずれか１項に記載の撮像装置。
【請求項９】
前記フィルタは、前記撮像手段に入射する光量を調整するために用いられることを特徴とする請求項１ないし８のいずれか１項に記載の撮像装置。
【請求項１０】
前記フィルタは、前記光路に挿入する方向の端よりも前記光路から退避する方向の端の方が光の透過率が低いことを特徴とする請求項１ないし９のいずれか１項に記載の撮像装置。
【請求項１１】
前記フィルタは、光の透過率がグラデーション状に変化する領域を有することを特徴とする請求項１０に記載の撮像装置。
【請求項１２】
複数のレンズを有し当該複数のレンズの少なくとも１つを移動させることで焦点距離の変更が可能なレンズ群と、前記複数のレンズの間に配置される絞りと、前記レンズ群及び前記絞りを介して入射した光に応じた画像信号を出力する撮像手段と、前記レンズ群に入射した光束が前記撮像手段へ導かれる光路に対して挿入及び退避可能なフィルタと、を有する撮像装置の制御方法であって、
制御手段が、前記レンズ群の焦点距離に関する情報を用いて、前記フィルタの位置を制御することを特徴とする撮像装置の制御方法。
【手続補正３】
【補正対象書類名】図面
【補正対象項目名】図１
【補正方法】変更
【補正の内容】
【図１】
2012050010.tif 000001
【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
二本の別々のRNA鎖の形態である約21〜約23ヌクレオチド長の単離された二本鎖RNA（dsRNA）であって、一方の鎖が、対応するmRNAの切断を引き起こすことにより遺伝子のmRNAのRNA干渉を媒介するのに十分に該遺伝子のmRNAに対して配列対応を有し、切断が単離されたdsRNAとの配列対応の領域内で引き起こされ、mRNAが哺乳動物細胞性mRNAまたはウイルスmRNAである、単離された二本鎖RNA。
【請求項２】
化学合成されたものであるか、またはRNA干渉を媒介するRNAのアナログである、請求項１記載のdsRNA。
【請求項３】
該アナログが、１つ以上のヌクレオチドの付加、欠失、置換または変化を含む、請求項２記載のdsRNA。
【請求項４】
該１つ以上のヌクレオチドが、天然には存在しないヌクレオチドを含む非標準ヌクレオチドである、請求項３記載のdsRNA。
【請求項５】
末端３'ヒドロキシル基を含んでなる、請求項１記載のdsRNA。
【請求項６】
（a）分解対象の遺伝子の配列に対応する二本鎖RNAとRNA干渉を媒介する可溶性抽出物とを合わせ、それにより組み合わせを生じる工程；
（b）二本鎖RNAが分解対象の遺伝子のmRNAのRNA干渉を媒介する約21〜約23ヌクレオチド長の二本鎖RNAにプロセスされる条件下で（a）の組み合わせを維持する工程、および
（c）該組み合わせから、約21〜約23ヌクレオチド長の二本鎖RNAを単離し、それによりmRNAのRNA干渉を媒介する約21〜約23ヌクレオチド長の単離されたRNAを作製する工程
を含む、分解対象の遺伝子のmRNAのRNA干渉を媒介する約21〜約23ヌクレオチド長の単離された二本鎖RNAの作製方法。
【請求項７】
RNA干渉が生じる細胞または生物において遺伝子のmRNAのRNA干渉を媒介するための組成物の調製における、請求項１〜５いずれか記載のdsRNAの使用であって、該dsRNAは、細胞または生物に導入される場合、該遺伝子のmRNAのRNA干渉を媒介し、それにより二本鎖RNAを含む細胞または生物を生じ、二本鎖RNAを含む細胞または生物がRNA干渉の生じる条件下で維持され、それにより細胞または生物の遺伝子のmRNAのRNA干渉を媒介する、使用。
【請求項８】
（a）請求項１〜５いずれか記載のdsRNAを、細胞（インサイチュにおいて見出されるヒト細胞を除く）または非ヒト生物に導入し、それにより試験細胞または試験生物を作製する工程；
（b）RNA干渉が生じる条件下で試験細胞または試験生物を維持し、それにより該遺伝子のmRNAが分解された試験細胞または試験生物を作製する工程；ならびに
（c）（b）において作製された試験細胞または試験生物の表現型を観察し、および任意に、観察された表現型と適切な対照細胞または対照生物の表現型とを比較し、それにより該遺伝子の機能に関する情報を提供する工程
を含む、細胞（インサイチュにおいて見出されるヒト細胞を除く）または非ヒト生物における遺伝子の機能の検査方法。
【請求項９】
（a）請求項１〜５いずれか記載のdsRNAを細胞または生物に導入する工程；
（b）mRNAの分解が生じる条件下で（a）の細胞または生物を維持する工程、
（c）（b）の細胞または生物に薬剤を導入する工程；および
（d）該薬剤が細胞または生物に対して効果を有するかどうかを決定する工程、ここで、該薬剤が細胞または生物に対して効果を有さない場合、該薬剤は、遺伝子産物または遺伝子産物が関与する生物学的経路において作用する、
を含む、薬剤が遺伝子産物に作用するかどうかを評価する方法。
【請求項１０】
（a）請求項１〜５いずれか記載のdsRNAを細胞または生物に導入する工程；
（b）mRNAの分解が生じる条件下で（a）の細胞または生物を維持し、それにより該遺伝子の発現の減少を生じる工程；および
（c）細胞または生物に対する、該遺伝子の減少した発現の効果を決定する工程、ここで、減少した発現が効果を有する場合、遺伝子産物が薬物発見の標的である、
を含む、遺伝子産物が薬物発見に適した標的であるかどうかを評価する方法。
【請求項１１】
請求項１〜５いずれか記載のdsRNAおよび適切な担体を含んでなる、医薬組成物。
【請求項１２】
遺伝子がノックダウンされるべき細胞に、請求項１〜５いずれか記載のdsRNAを導入する工程、および
得られた細胞をRNA干渉が生じる条件下で維持し、それにより該遺伝子のmRNAの分解を生じ、それによりノックダウン細胞を作製する工程
を含む、ノックダウン細胞の作製方法。
【請求項１３】
請求項１２記載の方法により作製されるノックダウン細胞または非ヒト生物。
【請求項１４】
mRNAの切断を引き起こすことによりRNA干渉を媒介するのに十分にmRNAに配列対応を有する二本鎖RNA、遺伝子に対応する標識mRNA、およびRNA干渉を媒介する可溶性抽出物を合わせ、それにより組み合わせを生じる工程；
dsRNAが、mRNAの切断を引き起こすことによりRNA干渉を媒介する約21〜約23ヌクレオチド長の二本鎖RNAにプロセスされ、かつmRNAが分解される条件下で該組み合わせを維持する工程、ならびに
効率的に切断されるmRNA中の部位を同定する工程
を含む、RNA干渉プロセスにより効率的に切断されるmRNA内の標的部位を同定する方法。
【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
対向する第１及び第２の側面を有する本体と、
前記本体の前記第１及び第２の側面の間に設けられた底面と、
前記本体から延在する肩紐と、
前記本体の開口部に重なるフタと、
前記フタの短辺と前記肩紐との間に位置する穴とを備える、運搬器具。
【請求項２】
前記第１及び第２の側面は、略半円形状の外形を有し、
前記第１及び第２の側面の前側において前記第１及び第２の側面の上側の縁と下側の縁とがなす角度は、前記第１及び第２の側面の後側において前記第１及び第２の側面の上側の縁と下側の縁がなす角度よりも小さい、請求項１に記載の運搬器具。
【請求項３】
底板を保持するための第１及び第２のポケットをさらに備え、
前記第１及び第２のポケットが、前記底面上に形成されており、
前記第１及び第２のポケットの開口縁は、互いに対向するように離れた位置に形成されている、請求項１又は２に記載の運搬器具。
【請求項４】
前記フタの短辺は、少なくとも前記第１及び第２の側面の前記肩紐側の縁の長さの半分の長さを有する、請求項１から３のいずれか１項に記載の運搬器具。
【請求項５】
前記フタを前記肩紐に縫い付けないことにより、前記本体を裏返した際に前記肩紐を前記フタの外側に引き抜くことができる、請求項１から４のいずれか１項に記載の運搬器具。
【請求項６】
対向する第１及び第２の側面を有する本体と、
前記本体から延在する肩紐と、
底板を保持するための第１及び第２のポケットを備え、
前記第１及び第２のポケットが、前記第１及び第２の側面の間に設けられた底面上に形成されており、
前記第１及び第２のポケットの開口縁は、互いに対向するように離れた位置に形成されている、運搬器具。
【請求項７】
前記本体は、裏返し可能に構成された第１面及び第２面を有し、
前記第１及び第２のポケットは前記第１面に形成され、
前記第２面に、前記底板を保持するための第３及び第４のポケットが形成されている、請求項６に記載の運搬器具。
【手続補正書】
【提出日】平成25年8月30日(2013.8.30)
【手続補正１】
【補正対象書類名】明細書
【補正対象項目名】００３６
【補正方法】変更
【補正の内容】
【００３６】
【図１】鋼管柱と防霜ファンとの関係の一例を示した一部省略の側面図
【図２−１】例えば、大型の防霜ファンの要部の一例を示した拡大断面図
【図２−２】例えば、中型の防霜ファンの要部の一例を示した拡大断面図
【図３】高効率モータを利用して、圃場に送風する一例を示した模式図
【図４−１】高効率モータ（８極ポールのモータ）による風の分布と、通常モータによる風の分布とを対比した図表１で、その（１イ）が高効率モータで、羽根径１１０ｃｍ、捻り角度１８．８°、周速４９ｍ／Ｓによる風の分布線図と、（１ロ）が通常モータで、ファンの羽根径９０ｃｍ、捻り角度２２°周速５４．２ｍ／Ｓによるによる風の分布線図
【図４−２】高効率モータによる風の分布と、通常モータによる風の分布とを対比した図表２で、その（２イ）が高効率モータで、ファンの羽根径１２０ｃｍ、捻り角度１６．４°、周速５３．４ｍ／Ｓによる風の分布線図と、（２ロ）が通常モータで、ファンの羽根径１００ｃｍ、捻り角度１８．９°、周速６０．２ｍ／Ｓによるによる風の分布線図
【図４−３】高効率モータによる風の分布線図と、通常モータによる風の分布線図とを対比した図表３で、その（３イ）が高効率モータで、ファンの羽根径１２０ｃｍ、捻り角度２０°、周速５３．４ｍ／Ｓによる風の分布線図と、（３ロ）が通常モータで、ファンの羽根径１００ｃｍ、捻り角度１９．９°、周速６０．２ｍ／Ｓによるによる風の分布線図
【図５】高効率モータによる風の到達距離分布図と、通常モータによる風の到達距離分布図とを対比、かつ重畳した図表４−７で、（５イ）が前記図４−１の構造による対比図表、（５ロ）が前記図４−２の構造による対比図表、（５ハ）が前記図４−３の構造による対比図表、また、（５ニ）が前記図４−１〜図４−３の構造を総合した対比図表
【図６−１】高効率モータを利用して、圃場（茶畑）に送風する一例を示した俯瞰図
【図６−２】高効率モータを利用して、圃場に送風することで圃場の凍霜害が、極めて、少ないことが理解できる図
【図７−１】従来のモータ（６極ポールのモータ）を利用して、圃場に送風する一例を示した俯瞰図
【図７−２】従来の防霜ファンによる圃場（茶畑）では、一部に、凍霜害があることが理解できる図
【手続補正２】
【補正対象書類名】図面
【補正対象項目名】図８
【補正方法】削除
【補正の内容】
【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
ヒトのグルカゴンレセプターをコードする核酸分子の標的とする、長さ15〜30核酸塩基の化合物であって、ヒトのグルカゴンレセプターをコードする核酸分子に特異的にハイブリダイズし、そしてヒトのグルカゴンレセプターの発現を阻害し、そしてSEQ ID NO: 24、28、30、37、39、41、42、46、48、67、70、76、82、94、95、96、97、98、101、114、115、116、119、121、140、141、144、145、156、169、170、177、181、182、183、184、185、187、190、194、195、196、204、207、208、209、213、214、231、240、242、247、249、251、252、254、255、256、261、262、266、270、273、279、282、288、300、307、314、336、338、346、348、353、354、358、365、381、382、384、386または392の少なくとも連続した8核酸塩基を含む、前記化合物。
【請求項２】
ヒトのグルカゴンレセプターをコードする核酸分子とのあいだで、少なくとも70％の相補性、少なくとも80％の相補性、少なくとも90％の相補性、少なくとも95％の相補性、または100％の相補性を有する、請求項1に記載の化合物。
【請求項３】
ヒトのグルカゴンレセプターをコードする核酸分子が、SEQ ID NO: 4、SEQ ID NO: 18またはSEQ ID NO: 19の配列を含む、請求項2に記載の化合物。
【請求項４】
長さ20核酸塩基である、請求項1〜3のいずれか1項に記載の化合物。
【請求項５】
DNAオリゴヌクレオチド、RNAオリゴヌクレオチド、またはキメラオリゴヌクレオチドを含む、請求項1〜4のいずれか1項に記載の化合物。
【請求項６】
オリゴヌクレオチドが一本鎖である、請求項5に記載の化合物。
【請求項７】
修飾が、修飾されたヌクレオシド間結合、糖成分、または核酸塩基である、一つ、二つ、またはそれ以上の種類の修飾を有する、請求項1〜6のいずれかに記載の化合物。
【請求項８】
少なくとも一つのホスホロチオエートヌクレオシド間結合を有する、請求項7に記載の化合物。
【請求項９】
少なくとも一つの5-メチルシトシンを有する、請求項7に記載の化合物。
【請求項１０】
2’-O-（2-メトキシエチル）、2’-O-メチルおよびロック化核酸からなる群から選択される少なくとも1つの修飾された糖成分を含む、請求項7に記載の化合物。
【請求項１１】
4’-CH2-O-2’または4’-CH2-CH2-O-2’を含む少なくとも1つの二環式糖成分を有する、請求項7に記載の化合物。
【請求項１２】
化合物が、ギャップ領域中のデオキシヌクレオチド、第1のウィング領域および第2のウィング領域それぞれの少なくとも1つの高親和性修飾糖、5’末端および3’末端にそれぞれギャップ領域が隣接するウィング領域、そして少なくとも1つのホスホロチオエート修飾ヌクレオシド間結合、を含むキメラである、請求項1〜11のいずれか1項に記載の化合物。
【請求項１３】
ギャップ部分が長さ10個のデオキシヌクレオチドであり、第1および第2のウィング部分がそれぞれ長さ5個のヌクレオチドでありそして5個の2’-O-（2-メトキシエチル）ヌクレオチドを含み、そしてキメラオリゴヌクレオチドの各ヌクレオシド間結合がホスホロチオエートである、請求項12に記載の化合物。
【請求項１４】
SEQ ID NO: 24、28、30、37、39、41、42、46、48、67、70、76、82、94、95、96、97、98、101、114、115、116、119、121、140、141、144、145、156、169、170、177、181、182、183、184、185、187、190、194、195、196、204、207、208、209、213、214、231、240、242、247、249、251、252、254、255、256、261、262、266、270、273、279、282、288、300、307、314、336、338、346、348、353、354、358、365、381、382、384、386、または392からなり、すべてのヌクレオシド間結合がホスホロチオエート結合であり、核酸塩基1〜5および16〜20が2’-O-メトキシエチル修飾を含み、そしてすべてのシチジン残基が5-メチル修飾を含む、請求項1に記載の化合物またはその薬学的に許容可能な塩。
【請求項１５】
請求項1〜14のいずれか1項に記載の化合物および薬学的に許容可能な希釈剤またはキャリアを含む、医薬組成物。
【請求項１６】
細胞内または組織内のヒトのグルカゴンレセプターの発現を阻害し、それによりヒトのグルカゴンレセプターの発現が阻害される、請求項15に記載の医薬組成物。
【請求項１７】
疾患または症状が、代謝性疾患もしくは代謝性症状、糖尿病、肥満症、原発性高グルカゴン血症、インスリン欠乏症、またはインスリン抵抗性である、ヒトのグルカゴンレセプター活性に関連する疾患の発症または症状の開始を治療するか、妨げるか、または遅らせるための、請求項16に記載の医薬組成物。
【請求項１８】
疾患または症状が2型糖尿病である、請求項17に記載の医薬組成物。
【請求項１９】
ヒトの血中グルコース濃度を減少させるため、またはヒトの血中グルコース濃度の増加の開始を防止しまたは遅らせるための、請求項15に記載の医薬組成物。
【請求項２０】
ヒトが、糖尿病または肥満症を患う、請求項19に記載の医薬組成物。
【請求項２１】
請求項1〜14のいずれか1項に記載の化合物または請求項15〜20のいずれか1項に記載の医薬組成物を含む、キットまたはアッセイデバイス。
【請求項２２】
代謝性疾患、 糖尿病、肥満、インスリン欠乏症、またはインスリン抵抗性、または原発性高グルカゴン血症である、グルカゴンレセプター活性に関連する疾患に苦しむ被験者を治療するための医薬品の製造における、請求項1〜14のいずれか1項に記載の化合物または請求項15〜20のいずれか1項に記載の医薬組成物の使用。
【請求項２３】
疾患が、血中グルコース濃度の増加、血中トリグリセリド濃度の増加、または血中コレステロール濃度の増加、と関連する、請求項22に記載の使用。
【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
対象物を移動させるモータを含む制御系を第１状態から第２状態へ遷移させるために前記モータに供給する電流の時系列データをコンピュータに生成させるプログラムであって、
前記コンピュータに、
前記時系列データにより前記モータに印加される電圧の絶対値の最大値を制約する条件を含む制約条件を設定させ、
前記時系列データを評価するための評価関数を設定させ、
前記制約条件を満たすように、且つ、前記評価関数の値が予め定められた条件を満たすように、前記時系列データを求めさせる、
ことを特徴とするプログラム。
【請求項２】
前記評価関数は、前記時系列データの微分値の二乗和を含む、ことを特徴とする請求項１に記載のプログラム。
【請求項３】
前記評価関数は、前記時系列データの特定の周波数成分の大きさを含む、ことを特徴とする請求項１に記載のプログラム。
【請求項４】
前記評価関数は、前記時系列データの二乗和を含む、ことを特徴とする請求項１に記載のプログラム。
【請求項５】
前記評価関数は、前記モータに電流を供給する電流アンプの消費電力を含む、ことを特徴とする請求項１に記載のプログラム。
【請求項６】
前記評価関数は、前記時系列データの絶対値の最大値を含む、ことを特徴とする請求項１に記載のプログラム。
【請求項７】
前記評価関数は、前記電圧の絶対値の最大値を含む、ことを特徴とする請求項１に記載のプログラム。
【請求項８】
前記制約条件は、前記対象物の速度の絶対値の最大値を制約する条件、及び、前記時系列データの絶対値の最大値を制約する条件を含む、ことを特徴とする請求項１乃至７のうちいずれか１項に記載のプログラム。
【請求項９】
前記制約条件は、前記時系列データの一部が予め定められた値となるように制約する条件を含む、ことを特徴とする請求項１乃至８のうちいずれか１項に記載のプログラム。
【請求項１０】
前記コンピュータに、
前記時系列データの２次関数として前記評価関数を設定させ、
前記制約条件を満たすように、且つ、前記評価関数の値が最小化されるように、２次計画法によって前記時系列データを求めさせる、ことを特徴とする請求項１に記載のプログラム。
【請求項１１】
前記電圧は、前記時系列データと前記モータのインピーダンスとにより求められる第１電圧と、前記モータの速度と前記モータの逆起電力係数とにより求められる第２電圧との和として求められるものである、ことを特徴とする請求項１乃至１０のうちいずれか１項に記載のプログラム。
【請求項１２】
対象物を移動させるモータを含む制御系を第１状態から第２状態へ遷移させるために前記モータに供給する電流の時系列データを生成する方法であって、
前記時系列データにより前記モータに印加される電圧の絶対値の最大値を制約する条件を含む制約条件を設定し、
前記時系列データを評価するための評価関数を設定し、
前記制約条件を満たすように、且つ、前記評価関数の値が予め定められた条件を満たすように、前記時系列データを求める、
ことを特徴とする方法。
【請求項１３】
対象物を移動させるモータを含む制御系を第１状態から第２状態へ遷移させるために前記モータに供給する電流の時系列データを生成する装置であって、
前記時系列データを求める処理部を有し、
前記処理部は、前記時系列データにより前記モータに印加される電圧の絶対値の最大値を制約する条件を含む制約条件を満たすように、且つ、前記時系列データを評価するための評価関数の値が予め定められた条件を満たすように、前記時系列データを求める、
ことを特徴とする装置。
【請求項１４】
対象物を移動させるモータと、前記モータに電流を供給する供給部と、を含む制御系を有する装置であって、
前記制御系を第１状態から第２状態へ遷移させるための前記電流の時系列データを求める処理部を有し、
前記処理部は、前記時系列データにより前記モータに印加される電圧の絶対値の最大値を制約する条件を含む制約条件を満たすように、且つ、前記時系列データを評価するための評価関数の値が予め定められた条件を満たすように、前記時系列データを求める、
ことを特徴とする装置。
【請求項１５】
レーザ光を反射するミラーと、前記ミラーを移動させるモータと、前記モータに電流を供給する供給部と、を含む制御系を有し、前記ミラーを介してレーザ光を対象物に照射するレーザ加工装置であって、
前記制御系を第１状態から第２状態へ遷移させるための前記電流の時系列データを求める処理部を有し、
前記処理部は、前記時系列データにより前記モータに印加される電圧の絶対値の最大値を制約する条件を含む制約条件を満たすように、且つ、前記時系列データを評価するための評価関数の値が予め定められた条件を満たすように、前記時系列データを求める、
ことを特徴とするレーザ加工装置。
【手続補正２】
【補正対象書類名】明細書
【補正対象項目名】０００７
【補正方法】変更
【補正の内容】
【０００７】
上記目的を達成するために、本発明の一側面としてのプログラムは、対象物を移動させるモータを含む制御系を第１状態から第２状態へ遷移させるために前記モータに供給する電流の時系列データをコンピュータに生成させるプログラムであって、前記コンピュータに、前記時系列データにより前記モータに印加される電圧の絶対値の最大値を制約する条件を含む制約条件を設定させ、前記時系列データを評価するための評価関数を設定させ、前記制約条件を満たすように、且つ、前記評価関数の値が予め定められた条件を満たすように、前記時系列データを求めさせる、ことを特徴とする。
【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
デバイスへ電力供給を行う電力供給回路であって、
第１電圧を生成し、前記デバイスへ電力を供給する電力供給ラインへ第１電圧を供給する第１電圧生成手段と、
前記第１電圧より低い第２電圧を生成し、前記第２電圧を前記電力供給ラインへ供給する第２電圧生成手段と、
前記電力供給ラインの電圧を取得する取得手段と、
前記第１電圧生成手段及び前記第２電圧生成手段を用いて、前記電力供給ラインへ供給する電圧の制御を行う制御手段と、
前記測定手段により測定した電圧に基づき、電力供給回路の状態を判定する判定手段と、
を備え、
前記判定手段は、前記第２電圧の供給を開始した後、前記取得手段により取得した電圧と前記第２電圧に関する第１閾値とに基づき、電力供給回路の状態を判定する第１判定を行うことを特徴とする電力供給回路。
【請求項２】
前記判定手段は、前記制御手段の制御により前記第１電圧の供給を開始した後、前記取得手段により取得した電圧と前記第１電圧に関する第２閾値とに基づき、電力供給回路の状態を判定する第２判定を前記第１判定の後に行うことを特徴とする請求項１に記載の電力供給回路。
【請求項３】
前記制御手段が、前記第１電圧を供給する状態から前記第１電圧の供給を停止する制御を行った場合、前記判定手段は、前記取得手段により取得した電圧に基づいて、前記電力供給回路及び／又は前記デバイスの状態を判定する第３判定を行うことを特徴とする請求項１又は２に記載の電力供給回路。
【請求項４】
前記第１電圧生成手段は、コンデンサを介して前記電力供給ラインへ第１電圧を供給し、
前記第３判定は、前記取得手段により取得した電圧の所定時間当たりの変化の割合が第３閾値未満である場合は、前記電力供給回路及び／又は前記デバイスがエラー状態と判定することを特徴とする請求項３に記載の電力供給回路。
【請求項５】
前記第３判定は、前記取得手段により取得した電圧と第４閾値とに基づき、前記電力供給回路及び／又は前記デバイスの状態を判定することを特徴とする請求項３又は４に記載の電力供給回路。
【請求項６】
前記デバイスが記録ヘッドであり、
前記第３判定は、記録ヘッドの少なくとも一方向の走査が完了した後に行うことを特徴とする請求項３〜５のいずれか１項に記載の電力供給回路。
【請求項７】
前記判定手段は、前記制御手段の制御により前記第１電圧生成手段への電圧の供給及び前記第２電圧生成手段への電圧の供給を行わない状態で、前記取得手段により取得した電圧と第５閾値とに基づき、電力供給回路の状態を判定する第４判定を前記第１判定の前に行うことを特徴とする請求項１〜６のいずれか１項に記載の電力供給回路。
【請求項８】
前記第１生成手段は、スイッチ制御回路、及びスイッチング素子を有する直流電圧変換回路を備え、
前記判定手段は、前記制御手段の制御により前記スイッチ制御回路へ電力を供給した後、前記直流電圧変換回路のスイッチング素子が遮断された状態で、前記取得手段により取得した電圧と第５閾値とに基づき、電力供給回路の状態を判定する第５判定を前記第１判定の前に行うことを特徴とする請求項１〜７のいずれか１項に記載の電力供給回路。
【請求項９】
前記判定手段によりエラー状態と判定された場合、前記制御手段は前記電力供給ラインへの電圧の供給を停止することを特徴とする請求項１〜８のいずれか１項に記載の電力供給回路。
【請求項１０】
請求項１〜９のいずれか１項に記載の電力供給回路を備え、前記デバイスを駆動することを特徴とする機器。
【請求項１１】
前記デバイスは、記録ヘッドであり、当該記録ヘッドを駆動することを特徴とする請求項１０に記載の機器。
【請求項１２】
第１電圧を生成し、デバイスへ電力を供給する電力供給ラインへ第１電圧を供給する第１生成工程と、
前記第１電圧より低い第２電圧を生成し、前記第２電圧を前記電力供給ラインへ供給する第２生成工程と、
前記電力供給ラインの電圧を取得する取得工程と、
前記測定手段により測定した電圧に基づき、電力供給回路の状態を判定する判定工程と、
を備え、
前記判定工程では、前記第２電圧の供給を開始した後、前記取得手段により取得した電圧と前記第２電圧に関する第１閾値とに基づき、電力供給回路の状態を判定する第１判定を行うことを特徴とする電力供給回路の制御方法。
【手続補正２】
【補正対象書類名】明細書
【補正対象項目名】発明の名称
【補正方法】変更
【補正の内容】
【発明の名称】電力供給回路、該回路を備えた機器、及び電力供給回路の制御方法
【手続補正３】
【補正対象書類名】明細書
【補正対象項目名】０００５
【補正方法】変更
【補正の内容】
【０００５】
本発明は、安全にデバイスや回路の電気的状態を判定する電力供給回路、その回路を備えた機器、及び電力供給回路の制御方法を提供することを目的とする。
【手続補正４】
【補正対象書類名】明細書
【補正対象項目名】０００６
【補正方法】変更
【補正の内容】
【０００６】
上記課題を解決するための本発明の電力供給回路は、デバイスへ電力供給を行う電力供給回路であって、第１電圧を生成し、前記デバイスへ電力を供給する電力供給ラインへ第１電圧を供給する第１電圧生成手段と、前記第１電圧より低い第２電圧を生成し、前記第２電圧を前記電力供給ラインへ供給する第２電圧生成手段と、前記電力供給ラインの電圧を取得する取得手段と、前記第１電圧生成手段及び前記第２電圧生成手段を用いて、前記電力供給ラインへ供給する電圧の制御を行う制御手段と、前記測定手段により測定した電圧に基づき、電力供給回路の状態を判定する判定手段と、を備え、前記判定手段は、前記第２電圧の供給を開始した後、前記取得手段により取得した電圧と前記第２電圧に関する第１閾値とに基づき、電力供給回路の状態を判定する第１判定を行うことを特徴とする。
【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
第１電圧を生成し、デバイスへ電力を供給する電力供給ラインへ第１電圧を供給する第１電圧生成手段と、
前記第１電圧より低い第２電圧を生成し、前記第２電圧を前記電力供給ラインへ供給する第２電圧生成手段と、
前記電力供給ラインの電圧が閾値電圧より高いか判定する判定手段と、
前記第２電圧生成回路へ電圧生成の開始指示を出力し、前記判定手段により前記電力供給ラインの電圧が閾値電圧より高いと判定された場合、前記第１電圧生成回路へ電圧生成の開始指示を出力する制御を行う制御回路とを備えることを特徴とする電力供給回路。
【請求項２】
前記制御回路は、前記第２電圧生成回路へ電圧生成の開始指示を出力し、前記判定手段により前記電力供給ラインの電圧が閾値電圧より高いと判定されなかった場合、前記第１電圧生成回路へ電圧生成の停止指示を出力する制御を行うことを特徴とする請求項１に記載の電力供給回路。
【請求項３】
前記電力供給ラインに接続されたコンデンサをさらに備えることを特徴とする請求項１又は２に記載の電力供給回路。
【請求項４】
前記コンデンサに蓄積された電荷を放電する放電回路をさらに備え、前記第２電圧生成回路へ電圧生成の開始指示を出力する前に、前記放電回路を動作させることを特徴とする請求項３に記載の電力供給回路。
【請求項５】
前記第２電圧生成回路は、スイッチ素子をオン／オフするスイッチ制御回路と、前記スイッチ制御回路へ電力供給を行う第２の制御回路を備えることを特徴とする請求項１〜４のいずれか１項に記載の電力供給回路。
【請求項６】
請求項１〜５のいずれか１項に記載の電力供給回路を備え、前記デバイスを駆動することを特徴とする機器。
【請求項７】
前記デバイスは、記録ヘッドであり、当該記録ヘッドを駆動することを特徴とする請求項６に記載の機器。
【請求項８】
第１電圧を生成し、デバイスへ電力を供給する電力供給ラインへ第１電圧を供給する第１生成工程と、
前記第１電圧より低い第２電圧を生成し、前記第２電圧を前記電力供給ラインへ供給する第２生成工程と、
前記電力供給ラインの電圧が閾値電圧より高いか判定する判定工程と、
前記第２生成工程による電圧生成の開始指示を出力し、前記判定工程において前記電力供給ラインの電圧が閾値電圧より高いと判定された場合、前記第１生成工程による電圧生成の開始指示を出力する制御を行う制御工程と、を備えることを特徴とする電力供給回路の制御方法。
【手続補正２】
【補正対象書類名】明細書
【補正対象項目名】発明の名称
【補正方法】変更
【補正の内容】
【発明の名称】電力供給回路、該回路を備えた機器、及び電力供給回路の制御方法
【手続補正３】
【補正対象書類名】明細書
【補正対象項目名】０００５
【補正方法】変更
【補正の内容】
【０００５】
本発明は、安全にデバイスや回路の電気的状態を判定する電力供給回路、その回路を備えた機器、及び電力供給回路の制御方法を提供することを目的とする。
【手続補正４】
【補正対象書類名】明細書
【補正対象項目名】０００６
【補正方法】変更
【補正の内容】
【０００６】
上記課題を解決するための本発明の電力供給回路は、第１電圧を生成し、デバイスへ電力を供給する電力供給ラインへ第１電圧を供給する第１電圧生成手段と、前記第１電圧より低い第２電圧を生成し、前記第２電圧を前記電力供給ラインへ供給する第２電圧生成手段と、前記電力供給ラインの電圧が閾値電圧より高いか判定する判定手段と、前記第２電圧生成回路へ電圧生成の開始指示を出力し、前記判定手段により前記電力供給ラインの電圧が閾値電圧より高いと判定された場合前記第１電圧生成回路へ電圧生成の開始指示を出力する制御を行う制御回路とを備えることを特徴とする。
【手続補正書】
【提出日】平成25年7月3日(2013.7.3)
【手続補正１】
【補正対象書類名】明細書
【補正対象項目名】００２１
【補正方法】変更
【補正の内容】
【００２１】
以上のとおり、本発明によれば、弾性伸縮シートを間欠張り付けする手法を採用しつつ、弾性伸縮シートのロスを低減できるようになる、等の利点がもたらされる。
【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
光学部と支持部を有する眼内レンズを折り畳んだ状態で眼内に送出するための眼内レンズ挿入器具において、
前記眼内レンズを眼内へと挿入するための挿入部を先端に備える筒部本体と、
前記挿入部から前記眼内レンズを押し出すために前記筒部本体内部で押出軸方向に進退移動可能に設けられた棒状の押出部材と、
を備え、
前記押出部材の先端部には前記眼内レンズを前記挿入部内から押し出す際に前記支持部の一部を保持することにより前記挿入部先端から送出される前記眼内レンズの開放方向を定めるための保持部が形成されており、
前記挿入部の先端には押出軸に対して所定の傾斜角度を有する切欠が前記開放方向に合わせて形成されていることを特徴とする眼内レンズ挿入器具。
【請求項２】
請求項１の眼内レンズ挿入器具において、前記開放方向が定められた前記眼内レンズが完全に開いた状態での前記光学部の一方の面と前記切欠が持つ斜面とが向き合うように前記切欠が形成されていることを特徴とする眼内レンズ挿入器具。
【請求項３】
請求項１〜２の眼内レンズ挿入器具において、前記保持部は前記押出部材と前記挿入部の内壁との間に前記支持部を潜り込ませ，前記押出部材と前記内壁とにより前記支持部を挟持させるための凹部であることを特徴とする眼内レンズ挿入器具。
【請求項４】
請求項１〜３の眼内レンズ挿入器具において、前記保持部は前記支持部の一部を挟みこむための溝が形成されていることを特徴とする眼内レンズ挿入器具。
【手続補正２】
【補正対象書類名】明細書
【補正対象項目名】０００７
【補正方法】変更
【補正の内容】
【０００７】
上記課題を解決するために、本発明は以下のような構成を備えることを特徴とする。
（１）  光学部と支持部を有する眼内レンズを折り畳んだ状態で眼内に送出するための眼内レンズ挿入器具において、前記眼内レンズを眼内へと挿入するための挿入部を先端に備える筒部本体と、前記挿入部から前記眼内レンズを押し出すために前記筒部本体内部で押出軸方向に進退移動可能に設けられた棒状の押出部材と、を備え、前記押出部材の先端部には前記眼内レンズを前記挿入部内から押し出す際に前記支持部の一部を保持することにより前記挿入部先端から送出される前記眼内レンズの開放方向を定めるための保持部が形成されており、前記挿入部の先端には押出軸に対して所定の傾斜角度を有する切欠が前記開放方向に合わせて形成されていることを特徴とする。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
天井面や壁面に設置されるスプリンクラーヘッドを覆い隠すスプリンクラーヘッドカバーであり、スプリンクラーヘッドカバーはスプリンクラーヘッドの外部に設置される筒状のハウジングと、ハウジングの下端に低融点合金によって接合されたカバープレートと、カバープレートとハウジングの間に介装された板バネから成り、
板バネは弾性を有する板材を折り曲げて構成し、板バネの設置位置からハウジングの中心軸を通過する線と板バネの折り曲げ線が略平行に配置されていることを特徴とするスプリンクラーヘッドカバー。
【請求項２】
天井面や壁面に設置されるスプリンクラーヘッドを覆い隠すスプリンクラーヘッドカバーであり、スプリンクラーヘッドカバーはスプリンクラーヘッドの外部に設置される筒状のハウジングと、ハウジングの下端に低融点合金によって接合されたカバープレートと、カバープレートとハウジングの間に介装された板バネから成り、
板バネは弾性を有する板材を折り曲げて構成し、板バネの折り曲げ部分の縁である側縁部がハウジングの縁に沿って配置されていることを特徴とするスプリンクラーヘッドカバー。
【請求項３】
板バネの縁部にハウジングと係合可能なストッパーが形成されている請求項１または請求項２記載のスプリンクラーヘッドカバー。
【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
１ゲームに対して賭数を設定することによりゲームが開始可能となるとともに、複数種類の図柄を変動表示させる可変表示部を複数有する可変表示装置に表示結果が導出されることにより１ゲームが終了し、該可変表示装置の表示結果として所定の入賞ライン上に導出された図柄の組合せに応じて入賞が発生可能とされたスロットマシンであって、
前記可変表示装置に表示結果が導出されるより前に前記入賞を発生させる入賞図柄の組合せの前記入賞ライン上への導出を許容するか否かを決定する事前決定手段と、
前記事前決定手段の決定結果に応じて、前記可変表示装置に表示結果を導出させる制御を行なう導出制御手段と、
通常遊技状態と特別遊技状態とを含む複数種類の遊技状態のうちのいずれかに制御する遊技状態制御手段とを備え、
前記通常遊技状態における前記入賞ラインとして複数定められたラインは、前記特別遊技状態における前記入賞ラインとして定められていない特定ラインを含み、
前記導出制御手段は、
前記通常遊技状態における前記事前決定手段の決定結果が、入賞のうち特別入賞を発生させる特別入賞図柄の組合せの前記入賞ライン上への導出を許容する旨の特別結果であり、前記複数の可変表示部のうち少なくとも一の可変表示部において未だ図柄が導出されていないときであって既に図柄が導出されている可変表示部の前記特定ライン上に前記特別入賞図柄の組合せに成り得る特別成立図柄が導出されていることを条件として、未だ図柄が導出されていない可変表示部の前記特定ライン上に前記特別成立図柄を導出させる特別制御を行ない、
前記特別遊技状態における前記事前決定手段の決定結果が、前記特別結果と異なり前記特別入賞図柄の組合せの前記入賞ライン上への導出が許容されていない特定結果であるときにも、前記複数の可変表示部のうち少なくとも一の可変表示部において未だ図柄が導出されていないときであって既に図柄が導出されている可変表示部の前記特定ライン上に前記特別入賞図柄の組合せに成り得る特別成立図柄が導出されていることを条件として、前記特別制御と同じ制御を行なうことを特徴とする、スロットマシン。
【手続補正２】
【補正対象書類名】明細書
【補正対象項目名】０００９
【補正方法】変更
【補正の内容】
【０００９】
（１）  １ゲームに対して賭数を設定することによりゲームが開始可能となるとともに、複数種類の図柄を変動表示させる可変表示部を複数有する可変表示装置に表示結果が導出されることにより１ゲームが終了し、該可変表示装置の表示結果として所定の入賞ライン（入賞ラインＬ１〜Ｌ４）上に導出された図柄の組合せに応じて入賞が発生可能とされたスロットマシン（スロットマシン１）であって、
前記可変表示装置に表示結果が導出されるより前に前記入賞を発生させる入賞図柄の組合せの前記入賞ライン上への導出を許容するか否かを決定する事前決定手段（内部抽選処理）と、
前記事前決定手段の決定結果に応じて、前記可変表示装置に表示結果を導出させる制御を行なう導出制御手段（リール回転処理）と、
通常遊技状態（一般遊技状態）と特別遊技状態（ビッグボーナス）とを含む複数種類の遊技状態のうちのいずれかに制御する遊技状態制御手段（メイン制御部４１により実行される遊技状態を制御するための処理）とを備え、
前記通常遊技状態における前記入賞ラインとして複数定められたライン（入賞ラインＬ１〜Ｌ４）は、前記特別遊技状態における前記入賞ラインとして定められていない特定ライン（入賞ラインＬ１）を含み、
前記導出制御手段は、
前記通常遊技状態における前記事前決定手段の決定結果が、入賞のうち特別入賞を発生させる特別入賞図柄の組合せの前記入賞ライン上への導出を許容する旨の特別結果（たとえば、ＢＢ１当選）であり、前記複数の可変表示部のうち少なくとも一の可変表示部において未だ図柄が導出されていないときであって既に図柄が導出されている可変表示部の前記特定ライン上に前記特別入賞図柄の組合せに成り得る特別成立図柄（「白７」）が導出されていることを条件として、未だ図柄が導出されていない可変表示部の前記特定ライン上に前記特別成立図柄を導出させる特別制御を行ない（たとえば、ＢＢ１当選時のリール制御参照）、
前記特別遊技状態における前記事前決定手段の決定結果が、前記特別結果と異なり前記特別入賞図柄の組合せの前記入賞ライン上への導出が許容されていない特定結果（特定抽選結果、はずれ、ＢＢ強イチゴ当選）であるときにも、前記複数の可変表示部のうち少なくとも一の可変表示部において未だ図柄が導出されていないときであって既に図柄が導出されている可変表示部の前記特定ライン上に前記特別入賞図柄の組合せに成り得る特別成立図柄が導出されていることを条件として、前記特別制御と同じ制御を行なう（図１７参照）。
【手続補正書】
【提出日】平成25年1月24日(2013.1.24)
【手続補正１】
【補正対象書類名】特許請求の範囲
【補正対象項目名】請求項８
【補正方法】変更
【補正の内容】
【請求項８】
請求項１から７のいずれかに記載の電子内視鏡を製造する電子内視鏡の製造方法において、
接着剤と高アスペクト比形状フィラーとを攪拌装置により攪拌して前記高アスペクト比形状フィラーを一定方向に配向させてなる異方性高熱伝導材を生成する生成工程と、
前記生成された異方性高熱伝導材を、前記高アスペクト比形状フィラーの配向方向が、少なくとも内視鏡長手方向と直交する面内方向と一致するように、前記撮像モジュールと前記内視鏡外周部の金属製筒状体との間の内部空間に充填する充填工程と、
を含むことを特徴とする電子内視鏡の製造方法。
【手続補正２】
【補正対象書類名】特許請求の範囲
【補正対象項目名】請求項９
【補正方法】変更
【補正の内容】
【請求項９】
前記充填工程は、前記生成された異方性高熱伝導材を、前記撮像モジュールの周囲に前記高アスペクト比形状フィラーの配向を崩さないように塗布する工程と、前記異方性高熱伝導材が塗布された撮像モジュールを、内視鏡先端部の金属製筒状体内に挿入する工程と、を含むことを特徴とする請求項８に記載の電子内視鏡の製造方法。
【手続補正３】
【補正対象書類名】明細書
【補正対象項目名】００１７
【補正方法】変更
【補正の内容】
【００１７】
請求項８に係る発明は、請求項１から７のいずれかに記載の電子内視鏡を製造する電子内視鏡の製造方法において、接着剤と高アスペクト比形状フィラーとを攪拌装置により攪拌して前記高アスペクト比形状フィラーを一定方向に配向させてなる異方性高熱伝導材を生成する生成工程と、前記生成された異方性高熱伝導材を、前記高アスペクト比形状フィラーの配向方向が、少なくとも内視鏡長手方向と直交する面内方向と一致するように、前記撮像モジュールと前記内視鏡外周部の金属製筒状体との間の内部空間に充填する充填工程と、を含むことを特徴としている。
【手続補正４】
【補正対象書類名】明細書
【補正対象項目名】００１８
【補正方法】変更
【補正の内容】
【００１８】
請求項９に示すように請求項８に記載の電子内視鏡の製造方法において、前記充填工程は、前記生成された異方性高熱伝導材を、前記撮像モジュールの周囲に前記高アスペクト比形状フィラーの配向を崩さないように塗布する工程と、前記異方性高熱伝導材が塗布された撮像モジュールを、内視鏡先端部の金属製筒状体内に挿入する工程と、を含むことを特徴としている。
【手続補正書】
【提出日】平成25年8月22日(2013.8.22)
【手続補正１】
【補正対象書類名】明細書
【補正対象項目名】００１８
【補正方法】変更
【補正の内容】
【００１８】
発明７に係る両軸受リールは、発明１から６のいずれかに記載のリールにおいて、第１連結部は、ドラグ座金の内周部に形成され、平行に配置された一対の直線部と、一対の直線部の両端をつなぐ一対の接続部とを有する非円形形状である。ハンドル軸は、直線部に係合する平行な一対の平面が形成された回転連結部を有する。
【手続補正２】
【補正対象書類名】明細書
【補正対象項目名】００２６
【補正方法】変更
【補正の内容】
【００２６】
＜リールの一般的な構成＞
図１及び図２において、本発明の一実施形態による両軸受リールは、ベイトキャスト用の丸形の両軸受リールである。両軸受リールは、リール本体１と、リール本体１の側方に配置されたスプール回転用のハンドル２と、ハンドル２のリール本体１と逆側に配置されたドラグ調整部材としてのスタードラグ３と、リール本体１に回転自在に支持されたスプール１２と、を備えている。
【手続補正３】
【補正対象書類名】明細書
【補正対象項目名】００２７
【補正方法】変更
【補正の内容】
【００２７】
＜ハンドルの構成＞
ハンドル２は、板状のハンドルアーム２ａと、ハンドルアーム２ａの両端に回転自在に装着された把手２ｂとを有するダブルハンドル形のものである。ハンドルアーム２ａは、図２に示すように、リール本体１に回転自在に装着されたハンドル軸３０の外周側にリール本体１に接近して配置されている。
【手続補正４】
【補正対象書類名】図面
【補正対象項目名】図３
【補正方法】変更
【補正の内容】
【図３】
2012050398.tif 000001
【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
造血幹細胞および／または造血前駆細胞に転写因子Sox17をコードする遺伝子を発現させることを特徴とする、造血幹細胞および／または造血前駆細胞の生体外（インビトロ）増幅方法。
【請求項２】
造血幹細胞および／または造血前駆細胞が、多能性幹細胞の分化誘導により得られた造血幹細胞および／または造血前駆細胞である、請求項1に記載の造血幹細胞および／または造血前駆細胞の生体外（インビトロ）増幅方法。
【請求項３】
多能性幹細胞が人工多能性幹細胞である、請求項2に記載の造血幹細胞および／または造血前駆細胞の生体外（インビトロ）増幅方法。
【請求項４】
造血幹細胞および／または造血前駆細胞がヒト造血幹細胞および／またはヒト造血前駆細胞である、請求項1から3のいずれか1項に記載の造血幹細胞および／または造血前駆細胞の生体外（インビトロ）増幅方法。
【請求項５】
転写因子Sox17をコードする遺伝子を発現させることが転写因子Sox17をコードする遺伝子を含む発現ベクターをトランスフェクションすることにより実施される、請求項1から3のいずれか1項に記載の造血幹細胞および／または造血前駆細胞の生体外（インビトロ）増幅方法。
【請求項６】
下記工程を含む造血幹細胞および／または造血前駆細胞の生体外（インビトロ）増幅方法：
（1）ヒト人工多能性幹細胞を、造血因子を含む培地中で培養する工程、
（2）前記（1）で培養したヒト人工多能性幹細胞からCD34+CD43+細胞を分画する工程、
（3）前記（2）で調製したCD34+CD43+細胞分画に、転写因子Sox17をコードする遺伝子を発現させる工程、および
（4）前項工程（3）で調製した細胞を培養する工程。
【請求項７】
下記工程を含む造血幹細胞および／または造血前駆細胞の生体外（インビトロ）増幅方法：
（1）ヒト人工多能性幹細胞を、ヒト骨形成タンパク質4（bone morphogenetic protein 4；BMP4）およびヒト線維芽細胞成長因子（fibroblast growth factor）を含む培地中で培養する工程、
（2）前記工程（1）で培養した細胞を、さらにヒトBMP4およびヒト血管内皮細胞増殖因子（vascular endothelial growth factor；VEGF）を含む培地中で培養する工程、
（3）前記工程（2）で培養した細胞を、さらにヒトBMP4、ヒトVEGF、ヒトトロンボポエチン（thrombopoietin）およびヒト幹細胞因子（stem cell factor）を含む培地中で培養する工程、
（4）前記工程（3）で培養した細胞からCD34+CD43+細胞を分画する工程、
（5）前記工程（4）で調製したCD34+CD43+細胞分画に、転写因子Sox17をコードする遺伝子を含むレトロウイルスベクターをトランスフェクションする工程、および
（6）前項工程（5）で調製した細胞を、ストローマ細胞上で培養する工程。
【請求項８】
請求項1から7のいずれか1項に記載の造血幹細胞および／または造血前駆細胞の生体外（インビトロ）増幅方法により得られる細胞培養物。
【請求項９】
転写因子Sox17をコードする遺伝子を含む発現ベクターを含有する造血幹細胞および／または造血前駆細胞の生体外（インビトロ）増幅用組成物。
【請求項１０】
転写因子Sox17をコードする遺伝子を含む発現ベクターを試薬として含有する、造血幹細胞および／または造血前駆細胞の生体外（インビトロ）増幅用試薬キット。